【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】  被験者の変性した皮膚の状態を処置するための医薬品の製造におけるL-アスコルビン酸、または製薬的／化粧品的に許容されるその塩、エステルもしくは還元誘導体の使用であって、該医薬品が少なくとも１つの電気パルスを与えるのと実質的に同時に該被験者の皮膚表面に適用されるように適合されており、該電気パルスが、角質層を通してL-アスコルビン酸、または製薬的／化粧品的に許容されるその塩、エステルもしくは還元誘導体の有効量を送達するに十分な強度および持続時間を有する、上記使用。
【請求項２】  皮膚におけるコラーゲンの産生を増強するための、請求項１に記載の使用。
【請求項３】  皮膚における酸素フリーラジカルを低下させるための、請求項１に記載の使用。
【請求項４】  医薬品におけるL-アスコルビン酸またはその塩、エステルもしくは還元誘導体の濃度が約1容量%ないし約35容量%の範囲である、請求項１に記載の使用。
【請求項５】  医薬品がクリームまたはローションとして処方されている、請求項１に記載の使用。
【請求項６】  医薬品がエマルション、結晶懸濁液として処方されているか、またはL-アスコルビン酸もしくはその塩、エステルもしくは還元誘導体がリポソームもしくはマイクロスフェアに封入されている、請求項１に記載の使用。
【請求項７】  医薬品が水溶液または水性懸濁液として処方されている、請求項１に記載の使用。
【請求項８】  皮膚が顔、手、腕、首、胸部または脚にあり、かつ、医薬品がクリームまたはローションとして処方されている、請求項１に記載の使用。
【請求項９】  皮膚が顔、手、腕、首、胸部または脚にあり、かつ、医薬品が水性懸濁液または水溶液として処方されている、請求項１に記載の使用。
【請求項１０】  医薬品のpHが約4.0ないし約5.0の範囲であり、かつ、L-アスコルビン酸、またはその塩、エステルもしくは還元誘導体の送達が、その受動的送達と比較して3倍まで増強される、請求項１に記載の使用。
【請求項１１】  前記塩、エステルもしくは還元誘導体がL-アスコルビン酸-2-リン酸またはアスコルビルリン酸マグネシウムである、請求項１に記載の使用。
【請求項１２】  医薬品のpHが約1.85ないし約3.9の範囲であり、かつ、L-アスコルビン酸、またはその塩、エステルもしくは還元誘導体の送達が、その受動的送達と比較して約30%ないし約50%増強される、請求項１に記載の使用。
【請求項１３】  被験者における皮膚科学的用途に用いるための医薬品の製造におけるL-アスコルビン酸、または製薬的／化粧品的に許容されるその塩、エステルもしくは還元誘導体の使用であって、該医薬品が少なくとも１つの電気パルスを与えるのと実質的に同時に該被験者の皮膚表面に適用されるように適合されており、該電気パルスが、皮膚の角質層を通して該L-アスコルビン酸、または製薬的／化粧品的に許容されるその塩、エステルもしくは還元誘導体の有効量を送達するに十分な強度および持続時間を有する、上記使用。
【請求項１４】  医薬品におけるL-アスコルビン酸、またはその塩、エステルもしくは還元誘導体の濃度が約1容量%ないし約35容量%の範囲である、請求項１３に記載の使用。
【請求項１５】  医薬品がクリームまたはローションとして処方されている、請求項１３に記載の使用。
【請求項１６】  医薬品がエマルション、結晶懸濁液として処方されているか、あるいはL-アスコルビン酸、またはその塩、エステルもしくは還元誘導体がリポソームもしくはマイクロスフェアに封入されている、請求項１３に記載の使用。
【請求項１７】  医薬品が水溶液または水性懸濁液として処方されている、請求項１３に記載の使用。
【請求項１８】  皮膚が顔、手、腕、首、胸部または脚にあり、かつ、医薬品がクリームまたはローションとして処方されている、請求項１３に記載の使用。
【請求項１９】  皮膚が顔、手、腕、首、胸部または脚にあり、かつ、医薬品が水性懸濁液または水溶液として処方されている、請求項１３に記載の使用。
【請求項２０】  医薬品のpHが約4.0ないし約5.0の範囲であり、かつ、L-アスコルビン酸、またはその塩、エステルもしくは還元誘導体の送達が、その受動的送達と比較して3倍まで増強される、請求項１３に記載の使用。
【請求項２１】  前記塩、エステルもしくは還元誘導体がL-アスコルビン酸-2-リン酸またはアスコルビルリン酸マグネシウムである、請求項１３に記載の使用。
【請求項２２】  医薬品のpHが約1.85ないし約3.9の範囲であり、かつ、L-アスコルビン酸、またはその塩、エステルもしくは還元誘導体の局部送達が、その受動的送達と比較して約30%ないし約50%増強される、請求項１３に記載の使用。
【請求項２３】  局部送達が皮膚におけるコラーゲンの産生を増強する、請求項１３に記載の使用。
【請求項２４】  局部送達が皮膚における酸素フリーラジカルのレベルを低下させる、請求項１３に記載の使用。
【請求項２５】  エレクトロポレーション装置として用いる手持ち式パルス発生装置であって、
ａ）支持部材と、
ｂ）場合により導電性カバーを有する電極とを含んでなり、
該支持部材が手持ちできるような大きさおよび形状のものであり、該電極が該支持部材に接着され、かつ、パルス発生器に機能し得る形で接続されている手持ち式パルス発生装置。
【請求項２６】  該パルス発生器が該支持部材内に収容されている、請求項２５に記載の手持ち式パルス発生装置。
【請求項２７】  該電極が該支持部材から脱着可能な、請求項２５に記載の手持ち式パルス発生装置。
【請求項２８】  該電極が該治療薬の多孔性貯蔵槽を含んでなる、請求項２５に記載の手持ち式パルス発生装置。
【請求項２９】  該電極カバーに吸収性がある、請求項２５に記載の手持ち式パルス発生装置。
【請求項３０】  脱着可能な電極取付ブラケットをさらに含んでなる、請求項２５に記載の手持ち式パルス発生装置。
【請求項３１】  該脱着可能な電極取付ブラケットが脱着可能なようにそこに接着された電極を有する、請求項３０に記載の手持ち式パルス発生装置。
【請求項３２】  該電極取付ブラケットが角形、丸形、外縁型または管型である、請求項３０に記載の手持ち式パルス発生装置。
【請求項３３】  該管型電極取付ブラケットが、該電極取付ブラケットがその周りに回転可能である心棒を含んでなる中心核を有する、請求項３２に記載の手持ち式パルス発生装置。
【請求項３４】  該電極が電極を電極取付ブラケットに接着する粘着層を含んでなる、請求項２９に記載の手持ち式パルス発生装置。
【請求項３５】  該電極が使い捨てできる、請求項２５に記載の手持ち式パルス発生装置。
【請求項３６】  該電極がメアンダー（meander）型電極またはマイクロパッチ式電極である、請求項２５に記載の手持ち式パルス発生装置。
【請求項３７】  該メアンダー（meander）型電極が薄膜上に被覆された導電性電極指の編成アレイを含んでなる、請求項３６に記載の手持ち式パルス発生装置。
【請求項３８】  電極指の幅が約2mmであり、かつ、約0.2mmのギャップだけ離れている、請求項３７に記載の手持ち式パルス発生装置。
【請求項３９】  該パルス発生装置が場合により支持部材内に包含された電池を電源とする、請求項２５に記載の手持ち式パルス発生装置。
【請求項４０】  該支持部材の一部が導電性である、請求項２５に記載の手持ち式パルス発生装置。
【請求項４１】  電極と支持部材の導電部分との間に導電部材を置いた場合に、該支持部材の導電部分が電極の戻り導体(return conductor)として働く、請求項４０に記載の手持ち式パルス発生装置。
【請求項４２】  注入手段をさらに含んでなる、請求項２５に記載の手持ち式パルス発生装置。
【請求項４３】  該注入手段が、治療薬の貯蔵槽と流体連絡した中空の針を含んでなる、請求項４０に記載の手持ち式パルス発生装置。
【請求項４４】  振動ユニットをさらに含んでなる、請求項２５に記載の手持ち式パルス発生装置。
【請求項４５】  フォノフォレーシス（phonophoresis）ユニットをさらに含んでなる、請求項２５に記載の手持ち式パルス発生装置。
【請求項４６】  圧力センサーユニットをさらに含んでなる、請求項２５に記載の手持ち式パルス発生装置。
【請求項４７】  被験者の皮膚抵抗を測定および記録するユニットをさらに含んでなる、請求項２５に記載の手持ち式パルス発生装置。
【請求項４８】  該手持ち式パルス発生装置が卓上パルス発生装置に改変されている、請求項２５に記載の手持ち式パルス発生装置。
【請求項４９】  組織に電圧パルスを加えて、組織細胞への治療剤の導入を促進するのに十分な電場を確立するための装置であって、
（a）電極アレイを形成するように相互に関連して配置されている１つ以上の相反する電極対が配置されている脱着式電極支持体であって、さらに電極カバーおよび該カバーと電極アレイとの間に配置されており該電極アレイと流体連絡している液体貯蔵槽を備える、該電極支持体；
（ｂ）エレクトロポレーションを生じるために少なくとも１対の電極に電圧パルスを供給する、該支持部材に配置されている電極対と電気的に連絡している電力源、
を備える、上記装置。
【請求項５０】  前記装置が手持ち式であるように構成されている、請求項４９に記載の装置。
【請求項５１】  前記貯蔵槽が多孔性貯蔵槽を備える、請求項４９に記載の装置。
【請求項５２】  前記脱着式電極支持部材が、角形、丸形、外縁型または管型である、請求項４９に記載の装置。
【請求項５３】  前記電極がメアンダー（meander）型電極またはマイクロパッチ式電極である、請求項４９に記載の装置。
【請求項５４】  前記メアンダー（meander）型電極が薄膜上に被覆された導電性電極指の編成アレイを含んでなる、請求項５３に記載の装置。
【請求項５５】  前記メアンダー（meander）型電極が絶縁されているか、または多孔性である、請求項５３に記載の装置。
【請求項５６】  前記電極の幅が約１mmである、請求項４９に記載の装置。
【請求項５７】  前記電極が約0.2mmのギャップだけ離れている、請求項４９に記載の装置。
【請求項５８】  前記パルス発生器が電池を電源とする、請求項４９に記載の装置。
【請求項５９】  振動ユニットをさらに含んでなる、請求項４９に記載の装置。
【請求項６０】  前記振動ユニットが超音波を加える、請求項５９に記載の装置。
【請求項６１】  フォノフォレーシス（phonophoresis）ユニットをさらに含んでなる、請求項４９に記載の装置。
【請求項６２】  圧力センサーユニットをさらに含んでなる、請求項４９に記載の装置。
【請求項６３】  被験者の皮膚抵抗を測定および記録するユニットをさらに含んでなる、請求項４９に記載の装置。
【請求項６４】  イオントフォレシスを適用するための手段をさらに含む、請求項４９に記載の装置。
【請求項６５】  前記手段がエレクトロポレーションとイオントフォレシスとの切換えを可能とするスイッチユニットをさらに含む、請求項６４に記載の装置。
【請求項６６】  前記パルスが電気的インパルスである、請求項４９に記載の装置。
【請求項６７】  前記パルスが、単極波形、二極波形、指数関数波形および方形波形からなる群より選択される、請求項６６に記載の装置。
【請求項６８】  前記電極がワイア電極、多孔性電極、およびメアンダー（meander）型電極である、請求項４９に記載の装置。
【請求項６９】  被験者の変性した皮膚の状態を処置するための医薬組成物であって、該医薬組成物がL-アスコルビン酸、または製薬的／化粧品的に許容されるその塩、エステルもしくは還元誘導体を含み、少なくとも１つの電気パルスを与えるのと実質的に同時に該被験者の皮膚表面に適用されるように適合されており、該電気パルスが、角質層を通して該L-アスコルビン酸、または製薬的／化粧品的に許容されるその塩、エステルもしくは還元誘導体の有効量を送達するに十分な強度および持続時間を有する、上記医薬組成物。
【請求項７０】  被験者における皮膚科学的用途に用いるための医薬組成物であって、L-アスコルビン酸、または製薬的／化粧品的に許容されるその塩、エステルもしくは還元誘導体を含み、少なくとも１つの電気パルスを与えるのと実質的に同時に該被験者の皮膚表面に適用されるように適合されており、該電気パルスが、角質層を通して該L-アスコルビン酸、または製薬的／化粧品的に許容されるその塩、エステルもしくは還元誘導体の有効量を送達するに十分な強度および持続時間を有する、上記医薬組成物。